(57)【要約】【課題】  主走査方向のカラーレジストレーションずれを補正することができるカラー画像形成装置を提供する。【解決手段】  少なくとも駆動ロールと従動ロールとに張架されて周回する無端状の転写ベルトを備え、この転写ベルト上で複数の単色トナー画像を重ね合わせてカラー画像を形成するカラー画像形成装置において、転写ベルトが周回する間におけるベルト１周分のベルト幅方向変位量変化をベルト蛇行周期として記憶する蛇行周期記憶手段と、この蛇行周期記憶手段に記憶されたベルト蛇行周期に基づいて転写ベルト上で重ね合わせる各単色トナー画像の画像位置を補正する画像位置補正手段とを備えてなる。【選択図】          図９
2006309106.tif 000002
【特許請求の範囲】
【請求項１】
少なくとも駆動ロールと従動ロールとに張架されて周回する無端状の転写ベルトを備え、この転写ベルト上で複数の単色トナー画像を重ね合わせてカラー画像を形成するカラー画像形成装置において、
転写ベルトが周回する間におけるベルト１周分のベルト幅方向変位量変化をベルト蛇行周期として記憶する蛇行周期記憶手段と、この蛇行周期記憶手段に記憶されたベルト蛇行周期に基づいて転写ベルト上で重ね合わせる各単色トナー画像の画像位置を補正する画像位置補正手段とを備えることを特徴とするカラー画像形成装置。
【請求項２】
転写ベルトにおけるベルト１周分のベルト幅方向変位量変化は、転写ベルトが周回する間におけるベルト幅方向の変位量を検知する変位検知手段により測定される請求項１に記載のカラー画像形成装置。
【請求項３】
変位検知手段は、転写ベルトのベルト幅方向の変位量を、ある単色トナー画像を基準とする他の単色トナー画像の相対位置ズレ量として検知する請求項２に記載のカラー画像形成装置。
【請求項４】
転写ベルトにおけるベルト１周分のベルト幅方向変位量変化は、転写ベルトをベルト幅方向に案内する案内部材の形状に関する情報である請求項１に記載のカラー画像形成装置。
【請求項５】
案内部材の形状に関する情報は、転写ベルトを回転させて測定される請求項４に記載のカラー画像形成装置。
【請求項６】
画像位置補正手段は、画像情報の各頁単位で、各単色トナー画像の画像位置を補正する請求項１〜５のいずれかに記載のカラー画像形成装置。
【請求項７】
画像位置補正手段は、ベルト周回方向に沿って複数に分画された頁内の各区画単位で、各単色トナー画像の画像位置を補正する請求項１〜５のいずれかに記載のカラー画像形成装置。
【請求項８】
画像位置補正手段は、各単色トナー画像の書き込み位置を補正することによりその画像位置を補正する請求項１〜７のいずれかに記載のカラー画像形成装置。
【請求項９】
画像位置補正手段は、各単色トナー画像の書き込みタイミングを補正することによりその画像位置を補正する請求項１〜７のいずれかに記載のカラー画像形成装置。
【請求項１０】
画像位置補正手段は、各単色トナー画像の画像情報を補正することによりその画像位置を補正する請求項１〜７のいずれかに記載のカラー画像形成装置。
【請求項１１】
転写ベルトがベルト１周分だけ周回するタイミングと画像形成のタイミングとが所定の関係で同期している請求項１〜１０のいずれかに記載のカラー画像形成装置。
【請求項１２】
転写ベルトが、中間転写ベルト、転写材搬送ベルト、又は感光体ベルトである請求項１〜１１のいずれかに記載のカラー画像形成装置。
【発明の詳細な説明】
【技術分野】
【０００１】
本発明は、電子写真方式などを適用したプリンタ、複写機、及びファクシミリ、或いはこれらの機能を兼ね備えた複合機等のカラー画像形成装置に関するものである。
【背景技術】
【０００２】
【特許文献１】特開２００１−１４６３３５号公報
【０００３】
一般に、電子写真方式を採用したカラー画像形成装置としては、少なくとも駆動ロールと従動ロールとに張架されて周回する無端状の転写ベルトを備え、この転写ベルト上で複数の単色トナー画像を重ね合わせてカラー画像を形成するカラー画像形成装置が知られている。
【０００４】
例えば、図２１に示すように、中間転写ベルトを搭載したカラー画像形成装置１００があり、このカラー画像形成装置１００においては、エンドレスベルトからなる中間転写ベルトに複数の感光体ドラムのトナー画像を一次転写した後、中間転写ベルトから転写材に二次転写する。
【０００５】
また、図２２に示すように、転写材搬送ベルトを搭載したカラー画像形成装置２００があり、このカラー画像形成装置２００においては、転写材を静電吸着して担持搬送するエンドレスベルトからなる転写材搬送ベルト上の転写材に複数の感光体ドラムのトナー像を転写する。
【０００６】
また、感光体ベルトを搭載したカラー画像形成装置もある。
【０００７】
上記のように、中間転写ベルト、転写材搬送ベルト、又は感光体ベルトを採用した場合、ベルト機構に特有の欠点である駆動時のエンドレスベルトの基準軌道に対する片寄り又は蛇行の発生を抑制する手段が必要不可欠である。
【０００８】
図２３は、中間転写ベルト、転写材搬送ベルト、又は感光体ベルトのベルト寄り規制部材３００を示す図である。本ベルト寄り規制部材３００は、中間転写ベルト、転写材搬送ベルト、又は感光体ベルトにおける内周の幅方向の両端部に突出して設けられている（特許文献１参照）。
【０００９】
中間転写ベルト、転写材搬送ベルト、又は感光体ベルトは、ベルト寄り規制部材に沿って回転するため片寄り又は蛇行はベルト寄り規制部材の真直度に依存する。真直度は、主にベルト寄り規制部材をベルトに接着する際の製造精度で決定され０．５ｍｍ程度となる。ベルト寄り規制部材はウレタンゴム等の弾性部材で形成されているため、ベルトの蛇行はベルト寄り規制部材に沿って回転するが、ベルト寄り規制部材の真直度誤差を２〜５割程度に吸収することが可能である。従って、ベルトの蛇行は、０．１〜０．２ｍｍ程度となる。
【００１０】
図２４は、中間転写ベルト、転写材搬送ベルト、又は感光体ベルトのベルト１周におけるベルト蛇行の一例を示すグラフである。ベルトの蛇行は、画像形成時に主走査方向のカラーレジストレーションずれを生じさせる。カラーレジストレーンずれもベルトの蛇行に応じた量（０．１〜０．２ｍｍ程度）となり、画質を劣化させる大きな要因となっている。
【発明の開示】
【発明が解決しようとする課題】
【００１１】
一般的に、カラーレジストレーションずれは、０．１ｍｍ程度で問題となる。カラーレジストレーションずれは様々な要因で発生するため、ベルトの蛇行だけで決まるものではない。従って、蛇行は、０．０５ｍｍ以下とするのが必要である。
【００１２】
そこで、本発明は、上記従来技術の問題点を解決するためになされたものであり、その目的とするところは、主走査方向のカラーレジストレーションずれを補正することができるカラー画像形成装置を提供することにある。
【課題を解決するための手段】
【００１３】
即ち、本発明は、少なくとも駆動ロールと従動ロールとに張架されて周回する無端状の転写ベルトを備え、この転写ベルト上で複数の単色トナー画像を重ね合わせてカラー画像を形成するカラー画像形成装置において、転写ベルトが周回する間におけるベルト１周分のベルト幅方向変位量変化をベルト蛇行周期として記憶する蛇行周期記憶手段と、この蛇行周期記憶手段に記憶されたベルト蛇行周期に基づいて転写ベルト上で重ね合わせる各単色トナー画像の画像位置を補正する画像位置補正手段とを備えることを特徴とするカラー画像形成装置である。
【００１４】
本発明において、転写ベルトにおけるベルト１周分のベルト幅方向変位量変化は、転写ベルトが周回する間におけるベルト幅方向の変位量を検知する変位検知手段により測定されるのが好適である。
【００１５】
また、本発明において、変位検知手段は、転写ベルトのベルト幅方向の変位量を、ある単色トナー画像を基準とする他の単色トナー画像の相対位置ズレ量として検知するのが好適である。
【００１６】
また、本発明において、転写ベルトにおけるベルト１周分のベルト幅方向変位量変化は、転写ベルトをベルト幅方向に案内する案内部材の形状に関する情報であるのが好適である。
【００１７】
また、本発明において、案内部材の形状に関する情報は、転写ベルトを回転させて測定されるのが好適である。
【００１８】
また、本発明において、画像位置補正手段は、画像情報の各頁単位で、各単色トナー画像の画像位置を補正するのが好適である。
【００１９】
また、本発明において、画像位置補正手段は、ベルト周回方向に沿って複数に分画された頁内の各区画単位で、各単色トナー画像の画像位置を補正するのが好適である。
【００２０】
また、本発明において、画像位置補正手段は、各単色トナー画像の書き込み位置を補正することによりその画像位置を補正するのが好適である。
【００２１】
また、本発明において、画像位置補正手段は、各単色トナー画像の書き込みタイミングを補正することによりその画像位置を補正するのが好適である。
【００２２】
また、本発明において、画像位置補正手段は、各単色トナー画像の画像情報を補正することによりその画像位置を補正するのが好適である。
【００２３】
また、本発明において、転写ベルトがベルト１周分だけ周回するタイミングと画像形成のタイミングとが所定の関係で同期しているのが好適である。
【００２４】
また、本発明において、転写ベルトが、中間転写ベルト、転写材搬送ベルト、又は感光体ベルトであるのが好適である。
【発明の効果】
【００２５】
本発明によれば、主走査方向のカラーレジストレーションずれを補正することができるカラー画像形成装置を提供することができる。
【発明を実施するための最良の形態】
【００２６】
[第１の実施形態]
以下に、本発明の実施形態について図面を参照して説明する。図１〜図１３は、本発明に係るカラー画像形成装置おける第１の実施形態を示す図である。
【００２７】
図１は、本実施形態におけるレジコンパターン１０を示す図である。レジコンパターン１０は、画像形成部により中間転写ベルトＡの端面と平行に山型のパターンが所定の間隔で形成されているものである。
【００２８】
図２は、本実施形態におけるレジコンパターン１０を検出する検出センサ１２を示す図である。レジコンパターン１０は、変位検知手段である検出センサ１２（レジコンセンサ）１２で検出される。レジコンセンサ１２で検出される各レジコンパターンの時間間隔の差分を検出し、演算することで、中間転写ベルトＡ上の各色のカラーレジストレーションずれ量を算出することができる。
【００２９】
図３は、レジコンセンサ１２の詳細を示す図である。レジコンセンサ１２は、発光素子であるＬＥＤ１４と受光素子であるＰｈｏｔｏ  Ｄｅｔｅｃｔｏｒ１６から構成されている。レジコンセンサ１２では、ＬＥＤ１４から発光された光が、中間転写ベルトＡで反射してその光をＰｈｏｔｏ  Ｄｅｔｅｃｔｏｒ１６が受光する。
【００３０】
図４は、レジコンセンサ１２でレジコンパターン１０を検出する状況を示した図である。レジコンセンサ１２には、ＳＩＤＥ  ＡとＳＩＤＥ  Ｂがあって、それぞれレジコンパターン１０の左側及び右側を検出する。これによって、レジコンセンサ１２を通過するレジコンパターン１０の左側及び右側の時間間隔を測定することができる。
【００３１】
図５は、レジコンパターン１０のラテラル方向（主走査方向）及びプロセス方向（副走査方向）におけるカラーレジストレーションずれ量を測定するための説明図である。シアン（Ｃ）基準でイエロー（Ｙ）のカラーレジストレーションずれ量は、ラテラル方向において、Ｘｙｃ＝（ＰＡ１−ＰＢ２）／２、及びプロセス方向において、Ｙｙｃ＝（ＰＢ２−ＰＡ２）−Ｘｙｃである。その他の色も同様にして算出できる。ここでプロセス方向とは、画像形成が進行する（用紙搬送）方向であり、ラテラル方向とは、その直角方向である。このようにしてベルト搬送方向上の任意の点で基準色Ｃに対するＹＭＫ各色のカラーレジストレーションずれ量が算出できる。このパターンの組み合わせをベルト搬送方向に等間隔に設ければ、ベルト搬送方向に一定間間隔でカラーレジストレーションずれ量を検出することができる。この間隔は、１０〜１００ｍｍ程度に設定するのが好ましい。このパターンをベルト幅方向ＩＮ側、ＯＵＴ側、中央の３箇所に設けることで、ベルト幅方向の傾きや、歪み、倍率によるカラーレジストレーションずれ量も検出することができる。このようにベルト全面で各色のカラーレジストレーションずれ量の値を検出し、プロセス方向、ラテラル方向、傾き、倍率、歪みに関して平均することで、頁内均一のカラーレジストレーションずれ量を算出することができる。このように頁均一のずれをＤＣカラーレジストレーションずれと言う。このように算出したＤＣカラーレジストレーションずれは、ＣＰＵで計算され、画像出力回路に補正量を指示して、画像出力回路が、ＤＣカラーレジストレーションずれを補正する。
【００３２】
図６は、中間転写ベルトＡのベルト１周における各色のベルト幅方向の変動を示すグラフである。中間転写ベルトＡのベルト１周における各色のベルト幅方向の変動は、各色の画像形成部間の距離に応じてずれた値となっている。このようにベルト幅方向の変動はベルト1周内で変動しているため、これによるカラーレジストレーションずれは、頁間、頁内で変動し、前述のＤＣカラーレジストレーションずれの補正では補正することができない。
【００３３】
図７は、転写材上における各色のカラーレジストレーションずれを示す図である。上記のように、中間転写ベルトＡのベルト１周における各色のベルト幅方向の変動は、各色の画像形成部間の距離に応じてずれた値となっているため、各転写材上でカラーレジストレーションずれが生ずる。時間ｔのときに発生しているベルトの蛇行をＷ（ｔ）、各色の画像形成部間の距離をベルトが移動する時間をｐ、ベルト上の第一画像形成部で作成された画像におけるベルトの軸方向の位置をＹ（ｔ）、第二画像形成部で作成された画像におけるベルトの軸方向の位置をＭ（ｔ）、第三画像形成部で作成された画像におけるベルトの軸方向の位置をＣ（ｔ）、第四画像形成部で作成された画像におけるベルトの軸方向の位置をＫ（ｔ）、及び第一画像形成部で画像形成を開始する時間をｔ＝０とすると、Ｙ（ｔ）、Ｍ（ｔ）、Ｃ（ｔ）及びＫ（ｔ）は、下記の（１）〜（４）式のようになる。
Ｙ（ｔ）＝Ｗ（ｔ）        …（１）
Ｍ（ｔ）＝Ｗ（ｔ＋ｐ）    …（２）
Ｃ（ｔ）＝Ｗ（ｔ＋２ｐ）  …（３）
Ｋ（ｔ）＝Ｗ（ｔ＋３ｐ）  …（４）
【００３４】
図８は、Ｋ（黒）を基準とした場合のベルト１周における各色のベルト幅方向の変動を示すグラフである。Ｋ（黒）を基準とした場合の各色の相対的であるカラーレジストレーションずれをＫＹ、ＫＭ及びＫＣとすると、上記の（１）〜（４）からＫＹ、ＫＭ及びＫＣは下記の（５）〜（７）式のようになる。
ＫＹ（ｔ）＝Ｙ（ｔ）−Ｋ（ｔ）＝Ｗ（ｔ）−Ｗ（ｔ＋３ｐ）        …（５）
ＫＭ（ｔ）＝Ｍ（ｔ）−Ｋ（ｔ）＝Ｗ（ｔ＋ｐ）−Ｗ（ｔ＋３ｐ）    …（６）
ＫＣ（ｔ）＝Ｃ（ｔ）−Ｋ（ｔ）＝Ｗ（ｔ＋２ｐ）−Ｗ（ｔ＋３ｐ）  …（７）
上記カラーレジストレーションずれは、中間転写ベルトＡのベルト搬送方向の同位置で再現するため、ベルトの１箇所又は複数箇所にマークを設けてそれをベルトホームセンサ等で検出しで同期させることができる。
【００３５】
前述のレジコンパターン１０とレジコンセンサ１２によってこのように時間ｔにおける各色カラーレジストレーションずれを検出することが可能となる。時間ｔは、ベルトが一定速度で回転しているため、時間ｔはベルトの回転位置と対応がとれる。時間ｔは、ベルトホーム信号を基準に作成することで、ベルト位置と対応ができる。ベルト蛇行によるカラーレジストレーションずれは、ベルトの回転位置に応じで決まる。従って、ベルト位置に対応したカラーレジストレーションずれをメモリに記憶しておき、画像形成時にベルト上の画像位置に対応したカラーレジストレーションずれを呼び出して、これに応じた補正をすることでカラーレジストレーションずれを改善することができる。実際の検出は一定時間間隔で離散的に検出を行う。その間隔は１０ｍｍ程度であればベルト蛇行による位置変動は充分検出することができる。画像形成の速度（プロセス速度）を２００ｍｍ／ｓの場合は、１０ｍｍは時間間隔０．０５秒になる。この間隔は、１００ｍｍ程度まで大きくしても効果はある。実際の検出では、さらに短い時間間隔でセンサによって検出して（例えば、０．００５秒間隔）それを平均して使用してもよい(ノイズが減る)。また、メモリに記憶する間隔を１０ｍｍ間隔にし、補正は５０ｍｍや１００ｍｍ間隔で行うことで補正の処理を容易にすることが可能になる。また、ベルト蛇行のようにベルト軸方向で変化のないものは、ＩＮ側、ＯＵＴ側、中央の３箇所のデータを平均化することで精度を向上することもできる。
【００３６】
図９は、カラーレジストレーションずれを補正する補正回路６０を示す図である。補正回路６０は、中間転写ベルトＡに設けられているレジコンパターンを検出するレジコンセンサ６１及びカラーレジストレーション検出回路６２、ベルトの所定のマークを検出するベルトホームセンサ６３、カラーレジストレーション検出回路６２及びベルトホームセンサ６３からの信号が入力されてカラーレジストレーションずれを演算するＣＰＵ６４、ＣＰＵ６４で演算されたカラーレジストレーションずれの信号及びレジパターン回路６５から信号が入力されて画像形成部を制御する画像出力回路６６、及びＣＰＵ６４からカラーレジストレーションずれの信号が入力されて記憶すると共にＣＰＵ６４に信号を出力するメモリ回路６７から構成されている。
【００３７】
画像形成をする場合は、各色の画像情報と各色の書込み開始信号がＣＰＵに入力されると、ＣＰＵは各色のオフセット量をメモリから呼び出して、オフセットに応じてカラーレジストレーションずれを補正する。
【００３８】
図１０は、本実施形態におけるカラーレジストレーションずれを補正する補正回路６０のメモリ回路６７を示す図である。メモリ回路６７には、Ｍ１〜Ｍ１５のメモリが設けられている。画像形成時には、中間転写ベルトＡ上の画像位置に応じてＭ１〜Ｍ１５のメモリを読み出して基準色に対しての補正量を決定する。図示する場合においては、転写材がＡ３の場合には、１枚目がＭ１〜Ｍ６を平均した値、２枚目がＭ９〜Ｍ１４を平均した値、転写材がＡ４の場合には、１枚目がＭ１〜Ｍ３、２枚目がＭ５〜Ｍ６…のように補正する。補正は、画像書き込み装置の主走査方向の書き込み開始タイミングを制御することで行われる。又は、ＬＥＤのような書き込み装置では書き込み開始位置を制御するようにもできる。また、機械的に主走査方向に書込み装置の位置を制御するようにもできる。また、画像データを補正する（画像全体のデータ位置をオフセットする。）ことも可能である。
【００３９】
レーザー露光装置では、主走査方向の画像領域外に設置されたセンサ（ＳＯＳセンサ）がポリゴンミラーで走査されたタイミングで発生する主走査書き込み開始信号から実際のデータを書き込むタイミングまでのディレイタイムを変更することで主走査方向の書込み位置を変更することができる。また、ＬＥＤによる露光装置では、発光素子が主走査方向に並んでいるので、主走査方向の露光位置は、発光させる発光素子の位置で決まる。位置精度は、発光素子のピッチで決まるので、分解能が６００ｄｐｉの場合だと４２ミクロンピッチでしか調整できない。１２００ｄｐｉだと２１ミクロンピッチで調整ができる。その場合にはＬＥＤそのものの位置を主走査方向に動かすことで高精度に主走査方向の位置を補正することもできる。また、レーザー露光装置でもミラーを機械的に動かすことで主走査方向の露光位置を補正することも可能である。メモリはＹＫ、ＭＫ、ＣＫの各色でメモリＭ１〜…を持つことになって、色毎に上記補正を行う。
【００４０】
図１１は、本実施形態におけるカラーレジストレーションずれ量をメモリ回路６７に格納するフローを示すフローチャートである。最初に、カラーレジストレーションずれ検知パターンを形成する（Ｓ８０）。次いで、カラーレジストレーションずれ検知パターンを検出する（Ｓ８１）。そして、カラーレジストレーションずれ量を算出する（Ｓ８２）。その後、メモリに格納する（Ｓ８３）。
【００４１】
図１２は、本実施形態におけるカラーレジストレーションずれを補正するフローを示す図である。最初に、画像書き込み信号を受信する（Ｓ９１）。次いで、中間転写ベルトＡの位置情報を算出する（Ｓ９２）。位置情報はベルトホームセンサの信号を基準としてベルト上の画像位置を算出し、それに応じてメモリ上のカラーレジストレーションずれの情報を呼び出して、そして、主走査オフセット量（書き込みタイミング）を算出する（Ｓ９３）。その後、画像走査を実行する（Ｓ９４）。次いで、画像走査が終了した（画像形成終了）か否かを判断する（Ｓ９５）。画像走査が終了していない場合には、Ｓ９２に戻る。ここでは画像の主走査ごとに主走査オフセットを変更する方法を説明したが、補正間隔が異なる場合でも同様のフローで補正が可能である。
【００４２】
図１３は、カラーレジストレーションずれを頁内の各区画単位で補正した場合における各色のベルト幅方向の変動を示すグラフである。本実施形態においては、頁内のカラーレジストレーションずれ量の平均値で頁内の画像を一様にオフセット補正してカラーレジストレーションずれを小さくしている。ベルト周期で発生するカラーレジストレーションずれは低周波の成分が大きいので頁内でも変化は比較的小さく、上記補正方向は効果的であって制御も容易である。しかし、ベルト周長が画像サイズに対して相対的に大きい場合はよいが、小さくなると頁内での変化の量が大きく、上記補正だけでは不十分な場合がある。また、高周波成分が含まれている場合も同様である。そこで、頁毎の補正ではなく、更に細かくした各区画単位で補正するようにする。
【００４３】
以上、本第１の実施形態によれば、主走査方向のカラーレジストレーションずれを補正することができるカラー画像形成装置を提供することができる。
【００４４】
[第２の実施形態]
次に、本発明に係るカラー画像形成成装置における第２の実施形態について説明する。尚、本実施形態において、第１の実施形態に示す構成と同一の構成については、同一符号を付すことでその説明を省略する。
【００４５】
図１４は、本実施形態におけるカラーレジストレーションずれを補正する補正回路１０のメモリ回路１１を示す図である。本実施形態は、第１の実施形態における補正回路のメモリ回路６７をメモリ回路１０としたものである。メモリ回路１１には、Ｍ１〜Ｍ１５、Ｍ−１１、Ｍ−１２、Ｍ―２１〜Ｍ−２４のメモリが設けられている。Ｍ―１１には、Ｍ１〜Ｍ６の平均値が記憶されている。Ｍ―１２には、Ｍ８〜Ｍ１３の平均値が記憶されている。Ｍ−２１には、Ｍ１〜Ｍ３の平均値が記憶されている。画像形成時には、中間転写ベルトＡ上の画像位置に応じてメモリを読み出して基準色に対しての補正量を決定する。図示する場合においては、転写材がＡ３の場合には、１枚目がＭ−１１の値、２枚目がＭ−１２の値、転写材がＡ４の場合には、１枚目がＭ―２１の値…のように補正する。
【００４６】
図１５は、本実施形態におけるカラーレジストレーションずれ補正するフローを示す図である。最初に、画像書き込み信号を受信する（Ｓ１１１）。次いで、中間転写ベルトＡの位置情報を算出する（Ｓ１１２）。そして、主走査オフセット量（書き込みタイミング）を算出する（Ｓ１１３）。その後、画像形成を実行する（Ｓ１１４）。
【００４７】
以上、本第２の実施形態によれば、第１の実施形態では、中間転写ベルトＡ上の任意の位置に画像が形成されても画像位置に応じてカラーレジストレーションずれの位置情報をメモリ回路６７から呼び出して補正量の算出をして補正を実行しているので画像形成毎に本処理が必要で処理が複雑であるが、本実施の形態では、カラーレジストレーションずれの位置情報をメモリＭ−１１、Ｍ−１２、Ｍ−２１〜Ｍ２４に予め演算して格納しているので、各画像位置に応じてメモリからカラーレジストレーションずれの位置情報を呼び出して、各頁全体のオフセット量を補正するため、複雑な演算処理が不要となって処理が速くなる。また、頁内の補正を可能にする第１の実施形態でも、補正間隔ごとに位置情報を予め演算して格納し、テーブル化し参照し、補正することでも同様の効果を得られる。
【００４８】
[第３の実施形態]
次に、本発明に係るカラー画像形成成装置における第３の実施形態について説明する。尚、本実施形態において、第１の実施形態に示す構成と同一の構成については、同一符号を付すことでその説明を省略する。
【００４９】
図１６は、中間転写ベルトＡ（図では、単にベルト）のベルト寄り規制部材１２０の真直度を検出するセンサを示す図である。第１及び第２の実施形態では、カラーレジストレーションずれをレジコンで検出してこの検出値をもとに補正を行っている。この方式では、レジコンセンサが必要であり、中間転写ベルトＡ上にレジコンパターンを形成する必要がある。主走査方向のカラーレジストレーションずれ量は、中間転写ベルトＡのベルト寄り規制部材１２０の真直度でほぼ決定される。従って、中間転写ベルトＡのベルト寄り規制部材１２０の真直度を測定してメモリ回路に記憶すれば、カラーレジストレーションずれ量の補正量を算出することができる。中間転写ベルトＡのベルト寄り規制部材１２０の真直度は、一般に、製造時に決まるので製造時に測定してメモリ回路に記憶するようにする。中間転写ベルトＡのベルト寄り規制部材１２０の真直度は、中間転写ベルトＡを停止した状態で３次元測定機にて測定することができる。また、図１６（Ａ）、（Ｂ）のように、中間転写ベルトＡを回転させて寄り規制部材の位置を、接触型変位計又は非接触型変位計で測定することもできる。また、図１６（Ｃ）のように、寄り規制部材が接触するガイド部材に圧力センサを設けてガイドに加わる応力を検出することで真直度を測定することもできる。
【００５０】
このような真直度の測定は、画像形成装置内で行ってもよいが、中間転写ベルトＡ製造時に行い、真直度情報を画像形成装置に転送して使用してもよい。中間転写ベルトＡ交換の際にもこの情報が更新されるように中間転写ベルトＡにこの情報を書き込んだり、中間転写ベルトＡをモジュール化して、ＩＣ等に情報を保持させて画像形成装置と通信させてもよい。この真直度のデータをメモリに格納し、画像形成時に、ベルト位置に対応する位置のベルト真直度データから各色のカラーレジストレーション補正量を算出して、補正することが可能である。補正方法は第１及び第２の実施形態と同様である。この方式では、カラーレジストレーションずれの情報のようにベルト位置に応じた各色の情報をもつ必要がなく、ベルト位置に対応した真直度情報をもつことで補正が可能なので、演算、補正を簡素化することができる。また、第１及び第２の実施形態のようにカラーレジストレーションずれの情報は、基準の色に対する相対的なずれとなるため、画像全体（各色共通）の主走査方向のずれを補正することができないが、ベルト真直度情報からは、このずれを補正することができる。
【００５１】
また、ここで中間転写ベルトＡのベルト寄り規制部材は、ベルト裏面に貼り付けた寄り規制部材の内側にガイド部材を沿わせて蛇行制御する場合の例を述べたが、寄り規制部材の外側であってもよく、また、ガイド部材は溝を持ち、その溝で寄り規制部材をガイドしてもよい。寄り規制部材はベルト表面で設けてもよいし、中間転写ベルトＡの端部を直接ガイド部材でガイドしてもよい。また、ロールにクラウンをつけ、ベルトに直接ガイド部材がないようなベルトで搬送する装置でもベルト１回転周期の蛇行があるベルト搬送装置では同様に適用できる。
【００５２】
[第４の実施形態]
次に、本発明に係るカラー画像形成成装置における第４の実施形態について説明する。尚、本実施形態において、第１の実施形態に示す構成と同一の構成については、同一符号を付すことでその説明を省略する。
【００５３】
図１７は、カラーレジストレーションずれを各頁単位で補正した場合における各色のベルト幅方向の変動を示すグラフである。
図１８、カラーレジストレーションずれを各頁単位で補正した場合における各頁を示す図である。
基準色Ｋ（黒）に対してカラーレジストレーションずれを補正すると、画像毎に全体の画像位置が基準の位置に対してずれてしまう。
【００５４】
図１９は、絶対位置に対する各色のベルト幅方向のカラーレジストレーションずれを示すグラフである。
図２０は、絶対位置補正をした場合の各頁内における各色のベルト幅方向のカラーレジストレーションずれを示すグラフである。
カラーレジストレーションずれをレジコンセンサで測定する際に、基準色からのずれではなく絶対位置に対するカラーレジストレーションずれの測定を行うので、これをもとに補正をしても図１８のように用紙に対する画像の絶対位置はずれてしまう。第４画像形成部とレジコンセンサの通過時間をｒとすると、絶対位置で測定されるベルト位置ＲＹ（ｔ）、ＲＭ（ｔ）、ＲＣ（ｔ）、ＲＫ（ｔ）は、画像形成時とレジコンセンサで検出時の両方でベルトの蛇行の影響を受けるため、下記の（８）〜（１１）式のようになる。
ＲＹ（ｔ）＝Ｗ（ｔ）−Ｗ（ｔ＋３ｐ＋ｒ）        …（８）
ＲＭ（ｔ）＝Ｗ（ｔ＋ｐ）−Ｗ（ｔ＋３ｐ＋ｒ）    …（９）
ＲＣ（ｔ）＝Ｗ（ｔ＋２ｐ）−Ｗ（ｔ＋３ｐ＋ｒ）  …（１０）
ＲＫ（ｔ）＝Ｗ（ｔ＋３ｐ）−Ｗ（ｙ＋３ｐ＋ｒ）  …（１１）
従って、レジコンセンサで測定される絶対位置は、レジコンセンサで測定時の蛇行の影響で正確な絶対値とはならない。
次に、ベルト１周に要する時間ＬをＬ＝３２ｄ＝３２ｒ／３になるようにベルトの周長及びｒを設定する。
Ｋ（ｔ）は、下記の式を計算することでＫ（ｔ）を近似することができる（特開平１０―１８６７８７号参照）
【００５５】
【数１】
2006309106.tif 000003
【００５６】
上記数式で求めたＫ（ｔ）でＫ（黒）の書き込み位置を補正すれば絶対位置精度で補正することができる。Ｋ（ｔ）がもとめられれば、Ｗ（ｔ）＝Ｋ（ｔ−３ｐ）でＷ（ｔ）を求めることができ、同様にして、Ｙ（ｔ）、Ｍ（ｔ）、Ｃ（ｔ）も求めることができて補正が可能となる。尚、本基準の位置はレジコンセンサの絶対位置、転写材搬送位置精度で変化するが、これらは一度設定しておけば変化することが小さいので、装置組立又は装置設置時に絶対位置を調整することで常に安定した画像位置を維持することができる。
【００５７】
尚、本発明は上記実施の形態に限定されるものではなく、本発明の要旨の範囲内において種々の変形実施が可能である。例えば、上記実施の形態において転写ベルトは、中間転写ベルトＡとしているが、転写材搬送ベルト又は感光体ベルトとすることができる。
【図面の簡単な説明】
【００５８】
【図１】図１は、本実施形態におけるレジコンパターンを示す図である。
【図２】図２は、本実施形態におけるレジコンパターンを検出する検出センサを示す図である。
【図３】図３は、レジコンセンサの詳細を示す図である。
【図４】図４は、レジコンセンサでレジコンパターンを検出する状況を示した図である。
【図５】図５は、レジコンパターンのラテラル方向（主走査方向）及びプロセス方向（副走査方向）における位置ずれ量を測定するための説明図である。
【図６】図６は、中間転写ベルトのベルト１周における各色のベルト幅方向の変動を示すグラフである。
【図７】図７は、転写材上における各色の色ずれを示す図である。
【図８】図８は、Ｋ（黒）を基準とした場合のベルト１周における各色のベルト幅方向の変動を示すグラフである。
【図９】図９は、カラーレジストレーションずれを補正する補正回路を示す図である。
【図１０】図１０は、本実施形態におけるカラーレジストレーションずれを補正する補正回路のメモリ回路を示す図である。
【図１１】図１１は、本実施形態におけるカラーレジストレーションずれ量をメモリ回路６７に格納するフローを示すフローチャートである。
【図１２】図１２は、本実施形態におけるカラーレジストレーションずれを補正するフローを示す図である。
【図１３】図１３は、カラーレジストレーションずれを頁内の各区画単位で補正した場合における各色のベルト幅方向の変動を示すグラフである。
【図１４】図１４は、本実施形態におけるカラーレジストレーションずれを補正する補正回路のメモリ回路を示す図である。
【図１５】図１５は、本実施形態におけるカラーレジストレーションずれ補正するフローを示す図である。
【図１６】図１６は、中間転写ベルトのベルト寄り規制部材の真直度を検出するレジコンセンサを示す図である。
【図１７】図１７は、カラーレジストレーションずれを各頁単位で補正した場合における各色のベルト幅方向の変動を示すグラフである。
【図１８】図１８は、カラーレジストレーションずれを各頁単位で補正した場合における各頁を示す図である。
【図１９】図１９は、絶対位置に対する各色のベルト幅方向のカラーレジストレーションずれを示すグラフである。
【図２０】図２０は、絶対位置補正をした場合の各頁内における各色のベルト幅方向のカラーレジストレーションずれを示すグラフである。
【図２１】図２１は、従来のカラー画像形成装置を示す図である。
【図２２】図２２は、従来のカラー画像形成装置を示す図である。
【図２３】図２３は、中間転写ベルト、転写材搬送ベルト、又は感光体ベルトのベルト寄り規制部材を示す図である。
【図２４】図２４は、中間転写ベルト、転写材搬送ベルト、又は感光体ベルトのベルト１周におけるベルト蛇行を示すグラフである。
【符号の説明】
【００５９】
１０：レジコンパターン、１２：レジコンセンサ、６０：補正回路、１２０：寄り規制部材
【図１】
2006309106.tif 000004
【図２】
2006309106.tif 000005
【図３】
2006309106.tif 000006
【図４】
2006309106.tif 000007
【図５】
2006309106.tif 000008
【図６】
2006309106.tif 000009
【図７】
2006309106.tif 000010
【図８】
2006309106.tif 000011
【図９】
2006309106.tif 000012
【図１０】
2006309106.tif 000013
【図１１】
2006309106.tif 000014
【図１２】
2006309106.tif 000015
【図１３】
2006309106.tif 000016
【図１４】
2006309106.tif 000017
【図１５】
2006309106.tif 000018
【図１６】
2006309106.tif 000019
【図１７】
2006309106.tif 000020
【図１８】
2006309106.tif 000021
【図１９】
2006309106.tif 000022
【図２０】
2006309106.tif 000023
【図２１】
2006309106.tif 000024
【図２２】
2006309106.tif 000025
【図２３】
2006309106.tif 000026
【図２４】
2006309106.tif 000027